(57)【特許請求の範囲】
【請求項１】
黒色によって着色されるとともに通気性を有し、かつ、気化する薬剤を含浸した薬剤含浸体を用意し、
上記薬剤含浸体を屋外の日光が当たる場所で使用することを特徴とする薬剤含浸体の使用方法。
【請求項２】
気化する薬剤を含浸するとともに通気性を有する薬剤含浸体と、上記薬剤含浸体を保持するための保持部材とを備えた薬剤放散器の使用方法において、
上記保持部材を黒色によって着色するとともに、上記薬剤含浸体に接触させた状態とし、屋外の日光が当たる場所で使用することを特徴とする薬剤放散器の使用方法。
【発明の詳細な説明】
【技術分野】
【０００１】
本発明は、例えば害虫の忌避剤等のような気化する薬剤を含浸させた薬剤含浸体の使用方法及びその薬剤含浸体を備えた薬剤放散器の使用方法に関するものである。
【背景技術】
【０００２】
従来から、例えば害虫の忌避剤を含浸させた薬剤含浸体を屋外に吊り下げて使用する薬剤放散器が知られている（例えば特許文献１参照）。薬剤含浸体に風があたることによって薬剤が屋外に放散されて屋内への虫の侵入が抑制される。
【０００３】
また、例えば、特許文献２に開示されているように、プラスチック等から形成される縦長の捕虫容器に液状の薬剤を収容し、その薬剤を捕虫容器から徐々に放散させるように構成された害虫駆除装置も知られている。
【０００４】
特許文献２の捕虫容器は黒色に着色されている。これにより、太陽光を吸収させて捕虫容器を加温し、もって、薬剤の気化、放散量を増加させることができるようになっている。
【先行技術文献】
【特許文献】
【０００５】
【特許文献１】特開２０１１−１９５０７号公報
【特許文献２】特開２００４−１６１５１号公報
【発明の概要】
【発明が解決しようとする課題】
【０００６】
ところで、虫は様々な性質を持つものがおり、なかには朝方から活動し始める虫もいる。このような虫に対しても忌避効果や殺虫効果を得たいという要求がある。
【０００７】
そこで、特許文献２の害虫駆除装置のように捕虫容器を黒色に着色して太陽光を吸収させて薬剤の気化を促進させることが考えられる。ところが、このようにしたとしても、朝方からの薬剤による効果が十分に得られるとは限らず、また、直射日光が強い場合では薬剤の気化を促進させることの弊害として薬剤が早く減少してしまうという問題がある。
【０００８】
その結果について図４に示す実験結果に基づいて詳細に説明する。この実験は、樹脂製の黒色容器に液状の薬剤（害虫忌避剤）を入れ、それを屋外の直射日光があたる所に放置して薬剤の温度がどのように変化したかを示したものである。
【０００９】
実験日は２０１１年１０月２７日であり、場所は広島県廿日市市である。この日の日の出は６時２５分であり、日の入りは１７時２３分である。また、天気は晴れ時々曇りであり、風速は微風であった。
【００１０】
グラフの縦軸は、薬剤の温度と雰囲気温度（容器周囲の気温）との差を表し、横軸は時刻を表している。薬剤は捕虫容器に入れた状態で日の出前から放置して薬剤の温度と雰囲気温度とは同じにしておいた。
【００１１】
薬剤の温度は、日の出から８時くらいまで殆ど変化せず、日の出から２時間以上経過した９時に雰囲気温度から０．５℃上昇した。従って、日の出から２時間以上経過するまで、薬剤の温度は雰囲気温度と殆ど変わらないので、捕虫容器を黒色に着色したことの効果は期待できず、朝方に活動する虫に対しては効力が十分でないことが考えられる。
【００１２】
一方、日差しが強くなる１２：００前から１６時くらいまでは雰囲気温度も上昇するが、薬剤の温度がそれ以上に急激に上昇していき、雰囲気温度との差が最大で１６℃以上になった。薬剤の温度がこのように上昇すると、気化速度が速くなって単位時間当たりの放散量が多くなるので、その分、効力が高まると考えられる。しかしながら、薬剤の放散量は多ければ多いほどよいというわけではなく、ある程度の放散量を確保できれば、それ以上多くなっても効力はさほど変化せず、薬剤の消費が無駄に多くなってしまうだけである。また、夕方については、日の入りから１時間程度で薬剤の温度は雰囲気温度とほぼ等しくなる。
【００１３】
つまり、捕虫容器を黒色に着色しても、朝方の効力向上は期待できず、しかも、昼間の薬剤の消費が無用に上昇して薬剤が早くなくなり、さらに、夕方の効力向上も期待できない。
【００１４】
本発明は、かかる点に鑑みてなされたものであり、その目的とするところは、直射日光の弱い時間帯においても薬剤の放散量を向上でき、しかも、直射日光の強い時間帯では薬剤の無用な放散を抑制できるようにし、もって、薬剤による十分な効力を長期間に亘って得ることができるようにすることにある。
【課題を解決するための手段】
【００１５】
上記目的を達成するために、本発明では、薬剤含浸体が通気性を有するものとし、太陽光による加熱が適切に行われるようにした。
【００１６】
第１の発明は、黒色によって着色されるとともに通気性を有し、かつ、気化する薬剤を含浸した薬剤含浸体を用意し、上記薬剤含浸体を屋外の日光が当たる場所で使用することを特徴とするものである。
【００１７】
この構成によれば、朝方の弱い直射日光下であっても薬剤含浸体の温度が上昇しやすくなり、薬剤の放散量が十分に確保される。
【００１８】
また、強い直射日光を受けた場合には、薬剤含浸体に雰囲気温度の空気が流通することによって冷却されるので、従来例の捕虫容器に収容するものに比べて温度の過度な上昇が抑制される。
【００１９】
第２の発明は、気化する薬剤を含浸するとともに通気性を有する薬剤含浸体と、上記薬剤含浸体を保持するための保持部材とを備えた薬剤放散器の使用方法において、上記保持部材を黒色によって着色するとともに、上記薬剤含浸体に接触させた状態とし、屋外の日光が当たる場所で使用することを特徴とするものである。
【００２０】
この構成によれば、薬剤含浸体を所望箇所で保持して薬剤による効果を得ることが可能になる。
【００２１】
また、朝方の弱い直射日光下であっても保持部材の温度が上昇しやすくなる。そして、保持部材の熱が接触部を介して薬剤含浸体に伝達して薬剤含浸体の温度が上昇する。よって、薬剤の放散量が十分に確保される。
【００２２】
また、強い直射日光を受けた場合には、保持部材の温度がさらに高まって薬剤含浸体がより一層加熱されることになるが、薬剤含浸体には雰囲気温度の空気が流通することによって冷却されるので、従来例の捕虫容器に収容するものに比べて温度の過度な上昇が抑制される。
【発明の効果】
【００２３】
第１の発明によれば、直射日光が弱い場合には薬剤含浸体の温度を早期に上昇させて薬剤の気化を促進させることができ、また、直射日光が強い場合には過度な温度上昇を抑制して薬剤の無用な放散を抑制できる。よって、薬剤による十分な効力を長期間に亘って得ることができる。
【００２４】
第２の発明によれば、薬剤含浸体を所望箇所で保持して薬剤による効果を得ることができる。また、直射日光が弱い場合には保持部材の温度を早期に上昇させて薬剤含浸体の薬剤の気化を促進させることができ、また、直射日光が強い場合には薬剤含浸体の過度な温度上昇を抑制して薬剤の無用な放散を抑制できる。よって、薬剤による十分な効力を長期間に亘って得ることができる。
【図面の簡単な説明】
【００２５】
【図１】実施形態１にかかる薬剤放散器の斜視図である。
【図２】実施形態１にかかる薬剤放散器の正面図である。
【図３】薬剤含浸体の温度変化を示したグラフである。
【図４】従来例の薬剤の温度変化を示したグラフである。
【図５】実施形態２にかかる薬剤放散器を表側から見た斜視図である。
【図６】実施形態２にかかる薬剤放散器を裏側から見た斜視図である。
【図７】実施形態２にかかる薬剤放散器の正面図である。
【発明を実施するための形態】
【００２６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２７】
（実施形態１）
図１は、本発明の実施形態１にかかる薬剤含浸体１を備えた薬剤放散器１０を示すものである。この薬剤放散器１０は、薬剤含浸体１の他に、薬剤含浸体１を大気中の所定箇所に吊した状態で保持しておくための保持具２０を有している。
【００２８】
薬剤含浸体１は、多数の繊維からなるネット状の基材に、気化する薬剤を含浸させてなるものである。基材を構成する繊維間には、空気が通るようになっており、これにより薬剤含浸体１に通気性が付与される。また、基材には、多数の通気孔１ａ，１ａ，…が全体に亘って形成されている。通気孔１ａの開口径は例えば０．５ｍｍ以上に設定されている。この通気孔１ａによっても薬剤含浸体１に通気性が付与されている。
【００２９】
薬剤含浸体１の基材を構成する繊維は、例えば、ポリプロピレン、ポリエチレン、ポリアミド、ポリエチレンテレフタレート、ポリブチレンテレフタレート、ポリサルフォン、レーヨン、メタアクリル酸樹脂等の樹脂からなる合成繊維であってもよいし、ガラス繊維等であってもよいし、パルプ、綿、羊毛、麻、絹等の天然繊維であってもよい。基材の目付量としては、５０ｇ／ｍ２以上１０００ｇ／ｍ２以下が好ましい。
【００３０】
また、薬剤含浸体１は、ＪＩＳ  Ｋ５６０２に基づいて測定された日射反射率が４０％以下の色に着色されている。この実施形態では黒色であるが、例えば、紺色、濃いねずみ色、濃い緑色、濃い茶色等であってもよい。
【００３１】
尚、薬剤含浸体１に含浸させる薬剤としては、蚊等の害虫に対する忌避剤や殺虫剤等を挙げることができ、具体例としては、例えばトランスフルトリン、メトフルトリン、エムペントリン、テフラメトリン等が挙げられる。また、薬剤は、忌避剤及び殺虫剤の両方としてもよい。
【００３２】
保持具２０は、樹脂製の板状部２１と、吊り下げ部材２５とを備えている。板状部２１は、薬剤含浸体１を囲んで収容可能な中空状に形成されており、図２に示す正面視では略矩形で、平面視ではＳ字を描くように緩やかに湾曲している。板状部２１は、薬剤含浸体１の一方の側面を覆うように延びる第１部材２２と、他方の側面を覆うように延びる第２部材２３とを有している。第１部材２２における薬剤含浸体１の側面に対向する部位は開放されており、薬剤含浸体１は、この開放部分から露出するようになっている。第１部材２２には、開放部分を横切るように多数の棒状部２２ａ，２２ａ，…が上下方向に間隔をあけて形成されている。
【００３３】
また、第１部材２２には、薬剤含浸体１の側面に接触する多数の接触部２２ｂ，２２ｂ，…が形成されている。接触部２２ｂは、上下方向に隣り合う棒状部２２ａ，２２ａを連結するように、該棒状部２２ａ，２２ａに一体成形されている。接触部２２ｂは板状部２１の厚み方向に延びる円筒状をなしており、中心線方向の端面が薬剤含浸体１に接触するようになっている。また、接触部２２ｂの内部には、薬剤が注入されるようになっている。第１部材２２の周縁部も薬剤含浸体１に接触する接触部となっている。
【００３４】
第２部材２３は、第１部材２２と同様に構成されている。第１部材２２の周縁部と第２部材２３の周縁部とは、例えば爪嵌合等によって結合するようになっている。この結合状態では、薬剤含浸体１は、第１部材２２の接触部２２ｂと第２部材２３の接触部（図示せず）とによって挟持されるとともに、第１部材２２及び第２部材２３の周縁部によっても挟持される。
【００３５】
吊り下げ部材２５は、板状部２１の上端部に係合する係合部２５ａと、係合部２５ａから上方へ延びる連結部２５ｂと、連結部２５ｂの上端に連結された略Ｃ字状のフック２５ｃとを備えている。フック２５ｃを棒材等に引っ掛けることが可能となっている。
【００３６】
尚、保持具２０は白色に着色されている。
【００３７】
上記薬剤放散器１０を製造する場合には、まず、薬剤含浸体１となる基材に薬剤を含浸させない状態で第１部材２２と第２部材２３との間に配置し、両部材２２，２３を結合して板状部２１で保持する。その後、第１部材２２の接触部２２ｂ内に薬剤を注入する。接触部２２ｂ内に注入された薬剤は、薬剤含浸体１の基材に接触し、毛細管現象によって基材の全体に広がっていく。これにより、薬剤含浸体１が得られる。
【００３８】
次に、上記のように構成された薬剤放散器１０を使用した場合について説明する。吊り下げ部材２５のフック２５ｃを屋外にある棒材等に引っ掛ける。これにより、薬剤放散器１０が屋外で大気中に保持される。
【００３９】
薬剤含浸体１が板状部２１の開放部分から露出した状態となっているので、薬剤放散器１０に直射日光が当たると薬剤含浸体１にも直射日光が当たる。また、板状部２１の開放部分から空気の出入りが可能なので薬剤含浸体１には空気が流通する。
【００４０】
薬剤放散器１０の温度変化についての実験結果を図３に示すグラフに基づいて説明する。実験日は２０１１年１０月２７日であり、場所は広島県廿日市市である。この日の日の出は６時２５分であり、日の入りは１７時２３分である。また、天気は晴れ時々曇りであり、風速は微風であった。
【００４１】
グラフの縦軸は、薬剤含浸体１の温度と雰囲気温度（薬剤含浸体１の周囲の気温）との差を表し、横軸は時刻を表している。薬剤含浸体１は保持具２０で保持した状態で日の出前から放置して薬剤含浸体１の温度と雰囲気温度とは同じにしておいた。実施例１は、薬剤含浸体１を黒色に着色し、保持具２０を白色に着色した薬剤放散器１０である。
【００４２】
実施例１では、日の出から３０分程度経過した７時には、薬剤含浸体１の温度が雰囲気温度よりも０．４℃上昇した。０．４℃の上昇により、トランスフルトリンの蒸散上昇率は、０℃のとき（薬剤含浸体１の温度と雰囲気温度との差がないとき）を１００として１２６となる。つまり、トランスフルトリンは２６％も蒸散量が多くなる。
【００４３】
薬剤含浸体１の色が、ＪＩＳ  Ｋ５６０２に基づいて測定された日射反射率が４０％よりも大きい値となる色である場合には、薬剤含浸体１の温度上昇が不十分となり、トランスフルトリンの蒸散上昇率が低下してしまう。
【００４４】
そして、８時になると図３に示す実施例１では、薬剤含浸体１の温度が雰囲気温度よりも２．１℃上昇した。２．１℃の上昇により、トランスフルトリンの蒸散上昇率は、１４５となる。
【００４５】
一方、図４に示す従来例の場合は、７時〜８時では薬剤の温度は雰囲気温度と同じであり、直射日光による効力向上は認められない。
【００４６】
また、図３に示す比較例は、薬剤含浸体１を白色に着色し、保持具２０も白色に着色しており、この場合、７時〜８時では薬剤の温度は雰囲気温度と同じであり、直射日光による効力向上は認められない。
【００４７】
直射日光が弱い場合に実施例１の温度が上昇するのは、薬剤含浸体１自体が黒色に着色されているからである。
【００４８】
１０時以降１５時までは直射日光が強く、これによって図３に示す実施例１では、薬剤含浸体１の温度が雰囲気温度よりも最大で７．２℃上昇した。７．２℃の上昇により、トランスフルトリンの蒸散上昇率は、２１８となる。
【００４９】
一方、図４に示す従来例の場合は、直射日光が強くなると薬剤の温度は雰囲気温度よりも最大で１６．２℃上昇した。１６．２℃の上昇により、トランスフルトリンの蒸散上昇率は、３４６となる。このように従来例の場合はトランスフルトリンの蒸散上昇率が３００を越えることになるが、３００を越えても効力はさほど変化せず、薬剤の消費が無駄に多くなってしまう。
【００５０】
また、図３に示す比較例では、直射日光が強くても、最大で０．７℃しか上昇していないので、昼間における薬剤の効力が不十分である。
【００５１】
直射日光が強い場合に実施例１の温度上昇が抑制されているのは、薬剤含浸体１の周囲の空気が薬剤含浸体１を適度に流通して冷却効果が得られるからである。
【００５２】
以上説明したように、実施例１の薬剤放散器１０によれば、薬剤含浸体１を日射反射率が４０％以下の黒色に着色したので、朝方の弱い直射日光下であっても薬剤含浸体１の温度が上昇しやすくなり、薬剤の放散量が十分に確保される。
【００５３】
また、強い直射日光を受けた場合には、薬剤含浸体１に雰囲気温度の空気が流通することによって薬剤含浸体１が冷却されるので、従来例の捕虫容器に収容するものに比べて温度の過度な上昇が抑制される。
【００５４】
したがって、直射日光が弱い場合には薬剤含浸体１の温度を早期に上昇させて薬剤の気化を促進させることができ、また、直射日光が強い場合には過度な温度上昇を抑制して薬剤の無用な放散を抑制できる。よって、薬剤による十分な効力を長期間に亘って得ることができる。
【００５５】
また、図３に示す実施例２では、薬剤含浸体１を白色に着色し、保持具２０を黒色に着色しており、この場合は、９時において薬剤含浸体１の温度が雰囲気温度よりも１．０℃上昇した。これは、保持具２０が黒色に着色されていることによって保持具２０の温度が上昇し、保持具２０の熱が接触部２２ｂを介して薬剤含浸体１に伝達して薬剤含浸体１の温度が上昇するためである。１．０℃の上昇により、トランスフルトリンの蒸散上昇率は、１２９となる。
【００５６】
また、実施例２では、直射日光が強い場合でも、薬剤含浸体１の温度が雰囲気温度よりも最大で１．８℃の上昇に抑えられている。１．８℃の上昇により、トランスフルトリンの蒸散上昇率は、１４１となる。
【００５７】
したがって、実施例２の場合も、直射日光が弱い場合には薬剤含浸体１の温度を早期に上昇させて薬剤の気化を促進させることができ、また、直射日光が強い場合には過度な温度上昇を抑制して薬剤の無用な放散を抑制できる。
【００５８】
また、図３に示す実施例３では、薬剤含浸体１を黒色に着色し、保持具２０も黒色に着色しており、この場合は、７時において薬剤含浸体１の温度が雰囲気温度よりも０．３℃上昇した。０．３℃の上昇により、トランスフルトリンの蒸散上昇率は、１１９となる。
【００５９】
実施例３では、８時において薬剤含浸体１の温度が雰囲気温度よりも２．３℃上昇し、９時において薬剤含浸体１の温度が雰囲気温度よりも７．５℃上昇した。
【００６０】
一方、従来例の場合は、上記したように７〜９時では薬剤の温度は雰囲気温度と同じであり、直射日光による効力向上は認められない。
【００６１】
また、実施例３では、直射日光が強い場合でも、薬剤含浸体１の温度が雰囲気温度よりも最大で８．０℃の上昇に抑えられている。８．０℃の上昇により、トランスフルトリンの蒸散上昇率は、２２９となる。
【００６２】
したがって、実施例３の場合も、直射日光が弱い場合には薬剤含浸体１の温度を早期に上昇させて薬剤の気化を促進させることができ、また、直射日光が強い場合には過度な温度上昇を抑制して薬剤の無用な放散を抑制できる。
【００６３】
（実施形態２）
図５〜図７は、本発明の実施形態２にかかる薬剤放散器１０を示すものである。この実施形態２の薬剤放散器１０は、保持具３０が薬剤含浸体１を網戸に保持させることができるように構成されている点で実施形態１のものと異なっており、薬剤含浸体１については実施形態１と同じであるため、以下、保持具３０の構造について詳細に説明する。
【００６４】
保持具３０は、樹脂材を板状に成形してなるものであり、実施形態１のものと同様に第１部材３１と第２部材３２とを組み合わせて構成されている。薬剤含浸体１は、第１部材３１と第２部材３２との間で挟持されている。
【００６５】
第１部材３１には貫通孔３１ａが形成され、また、第２部材３２にも第１部材３１の貫通孔３１ａに対応して貫通孔３２ａが形成されている。貫通孔３１ａ，３２ａを介して空気の流通が可能となっている。
【００６６】
図６に示すように、第２部材３２の外面には、面ファスナ３３が取り付けられている。面ファスナ３３を構成するフック側テープが第２部材３２の外面に両面テープによって貼り付けられている。そして、保持具３０を網戸に取り付ける場合には、保持具３０を網戸の屋外側に配置した後、第２部材３２のフック側テープのフックを網戸の網目に通し、網戸の屋内側からループ側テープをフック側テープに押し付ける。これにより、フックとループとが絡み合って面ファスナの機能を利用して保持具３０簡単に取り付けることができる。面ファスナ３３を利用することで保持具３０の取り外しも簡単にできる。
【００６７】
この実施形態２の薬剤放散器１０においても、実施形態１のものと同様に、朝方の弱い直射日光下であっても薬剤含浸体１の温度が上昇しやすくなり、薬剤の放散量が十分に確保され、また、強い直射日光を受けた場合には、薬剤含浸体１に雰囲気温度の空気が流通することによって冷却されるので、従来例の捕虫容器に収容したものに比べて温度の過度な上昇が抑制される。よって、薬剤による十分な効力を長期間に亘って得ることができる。
【００６８】
尚、上記実施形態１、２では、薬剤含浸体１に害虫の忌避剤や殺虫剤を含浸させるようにしているが、これに限らず、例えば、芳香剤や消臭剤等を含浸させてもよい。
【００６９】
また、保持具２０，３０の構造は上記した構造に限られるものではなく、例えば、屋外に置くことができるように構成してもよい。
【００７０】
また、ＪＩＳ  Ｋ５６０２に基づいて測定された日射反射率が４０％以下の色に着色された薬剤含浸体１のみを屋外に吊したり、置いたりして使用してもよい。
【００７１】
また、例えば集合住宅等の建物の壁やドアは、茶系等の濃い色に着色されていることが多いが、ＪＩＳ  Ｋ５６０２に基づいて測定された日射反射率が４０％以下の色に着色した薬剤含浸体１及び薬剤拡散器１０は、壁やドアの色と近い色合いとなり、目立ちにくくなるという効果もある。
【産業上の利用可能性】
【００７２】
以上説明したように、本発明にかかる薬剤含浸体及び薬剤拡散器は、例えば、害虫の忌避剤等を放散させるのに使用できる。
【符号の説明】
【００７３】
１      薬剤含浸体
１ａ    通気孔
１０    薬剤放散器
２０    保持具
２５    吊り下げ部材
【図１】
0005989343.tif 000002
【図２】
0005989343.tif 000003
【図３】
0005989343.tif 000004
【図４】
0005989343.tif 000005
【図５】
0005989343.tif 000006
【図６】
0005989343.tif 000007
【図７】
0005989343.tif 000008